(57)【要約】【課題】製品の重心がずれていてもハンドルで吊り下げたとき、従来の構成では大きな製品荷重では、ハンドル重心ずれによる製品の回転トルクが大きくなり、製品をハンドルで吊り下げたとき、製品本体の傾きを抑えることは難しく、ハンドルを直立状態に規制する突起部と凹部の締め代を多く取ることにより、ハンドルを回動し直立するまでの回動力が大きくなり、製品の使い勝手が悪かった。【解決手段】蓋部を有した本体上部の左右に軸支し、前後方向に回転自在なハンドルを有する炊飯器において、ボディの側面上方に両側で回動可に軸支されたハンドル部を有し、ハンドル軸部を少なくとも鍋内が空のとき炊飯器本体の重心位置よりも前方側となる位置に設け、ハンドル軸部に回動力規制機能を有すること特徴とした。【選択図】図１
2010214033.tif 000002
【特許請求の範囲】
【請求項１】
炊飯器本体と、炊飯器本体に着脱自在に収納する鍋と、本体の下部外郭を構成するボディと、ボディの側面上方に両側で回動可に軸支されたハンドル部を有し、前記ハンドル軸部を少なくとも鍋内が空のとき炊飯器本体の重心位置よりも前方側となる位置に設け、前記ハンドル軸部に回動力規制手段を有する炊飯器。
【請求項２】
回動力規制手段は、少なくとも前記ハンドル軸とハンドル軸部に設けたカムとハンドル軸受け部に近傍に設けられた板バネにより構成されたカム機能を有する請求項１に記載の炊飯器。
【請求項３】
回動力規制手段は、ハンドル直立より前方に傾斜したとき、回動力を重くする請求項１または２に記載の炊飯器。
【請求項４】
炊飯器本体を軸支するハンドル軸部は、炊飯器本体の鍋内に米と水が投入され、ハンドルにより保持されたとき、ハンドルが直立する位置に設けられた、請求項１または２に記載の炊飯器。
【発明の詳細な説明】
【技術分野】
【０００１】
本発明は、一般家庭、あるいは業務用に使用する炊飯器に関するものである。
【背景技術】
【０００２】
以下に炊飯器の把手機構について説明する。図４〜図５において、２０は米と水を入れて炊飯する本体で、樹脂材より形成され、側部に切欠き部を有するハンドル取付け穴２０ａとこのハンドル取付け穴２０ａと対向させて内壁を形成している。２１は本体２０を持運びするためのハンドルで、樹脂材で半円形状に形成し、両端部には周壁に突設する突起部の背面に凸部２１ａを設けた回動軸２１ｂが一体に形成されている。なお、本体２０のハンドル取付け穴２０ａの切欠き部と回動軸２１ｂの突起物とを合わせて挿通させハンドル２１を回動自在に軸支できるもので、ハンドル２１を保持し持ち上げた時始めて、回動軸２１ｂの凸部と本体２０の切欠き部２０ｂがずれてハンドル２１が抜けない構成になっている。
【０００３】
また、本体軸穴上部に突起部２０ｃと、ハンドル内側にハンドル直立時、前記突起部２０ｃに対応した凹部又は溝２１ｃを有したことによりハンドルを回動し直立させる際、本体軸穴上部の突起部２０ｃがハンドル内側の当接凹部２１ｃにクリック感と共に入り込み、ハンドル２１は垂直状態で規制され、本体２０をハンドル２１で吊り下げたとき、本体２０が傾斜することを防止している。
【特許文献１】特開２００２−１０９０８号公報
【発明の開示】
【発明が解決しようとする課題】
【０００４】
近年の炊飯器の状況は、おいしいご飯を炊くための機能向上がなされている、反面、その本体重量はますます重くなっている、また、鍋内の収納量は様々であり、最大炊飯量の場合もあれば、鍋自身が収納されてない場合もある。加えて炊飯後のご飯の状態も一方に片寄っている場合もあり、製品の重心位置は大きく変化する。
【０００５】
以上のことにより、従来の構成では製品荷重が大きくなるに伴い、ハンドルの回転軸と重心ずれにより製品の回転トルクが大きくなり、製品をハンドルで吊り下げたとき、製品本体の傾きを抑えることは難しく、また、製品本体の傾きを抑えるために、ハンドルを直立状態に規制する突起部と凹部の締め代を多く取ることにより、ハンドルを回動し直立するまでの回動力が大きくなり、製品の使い勝手が悪かった。
【課題を解決するための手段】
【０００６】
本発明は上記課題を解決するために、蓋部を有した本体上部の左右に軸支し、前後方向に回転自在なハンドルを有する炊飯器において、ボディの側面上方に両側で回動可に軸支されたハンドル部を有し、前記ハンドル軸部を少なくとも鍋内が空のとき炊飯器本体の重心位置よりも前方側となる位置に設け、前記ハンドル軸部に回動力規制機能を有することにより、ハンドルを回動したとき大きな回動力を必要とせず、ハンドルで本体を吊るしたとき、製品の傾きを抑えることができ、可搬性に優れた製品を提供することができる。
【発明の効果】
【０００７】
本発明の炊飯器は、製品の重心が変化してもハンドルで吊り下げたとき、製品本体の傾きを抑え製品の可搬性を向上させることができる。
【発明を実施するための最良の形態】
【０００８】
第１の発明は、炊飯器本体に着脱自在に収納する鍋と、本体の下部外郭を構成するボディと、ボディの側面上方に両側で回動可に軸支されたハンドル部を有し、前記ハンドル軸部を少なくとも鍋内が空のとき炊飯器本体の重心位置よりも前方側となる位置に設け、前記ハンドル軸部に回動力規制手段を有することにより、炊飯器本体をハンドルで吊り下げた時、炊飯器本体が前後に傾くことなく、可搬性に優れた炊飯器を提供することができる。
【０００９】
第２の発明は、特に第１の発明において、ハンドルのハンドル軸部に設けたカム構成に対応した平面部を、板バネにより構成した炊飯器である。これにより、ハンドルの回動力に弾力性を持たせることが可能となり、ハンドルの回動操作をなめらかに操作することができる。
【００１０】
第３の発明は、特に第１または第２の発明において、ハンドルを直立より前方に傾斜したときハンドル軸部に設けたカム構成により、ハンドルの回動力を重くする構成を持つ炊飯器である。これにより、ハンドルの回動範囲を規制し、炊飯器の蓋開閉動作やスイッチ操作に、干渉することなく、操作を行うことができる。
【００１１】
第４の発明は、特に第１または第２の発明において、ハンドル軸部は、炊飯器本体の鍋内に米と水を投入し、ハンドルにより吊り下げた時、ハンドルが直立する位置に設ける構成を持つ炊飯器である。これにより、炊飯器本体に米と水が投入され重量が増した時、ハンドル軸部に設けられたカム構成にかかる負荷を最小限に抑えることが出来、ハンドル軸部の耐久性を向上することができる。
【００１２】
（実施の形態１）
図１〜図３は、本発明の第１の実施の形態における炊飯器で、図１において、３は上面が開口する略円筒形のボディである。このボディ３の開口部には上枠４が勘着しており、ボディ３と上枠４とで本体を構成している。前記ボディ３内部には保護枠５とコイルベース６で鍋１６の収納部を形成している。
【００１３】
７は合成樹脂製の外蓋で、この外蓋７は上枠４の後部に一体形成されたヒンジ部材８にピン９を介して回動自在に支持され、蓋バネ１０に付勢せれている。
【００１４】
１１は本体持運び用のハンドルであり、樹脂材で半円形状に形成し、両端部には回動軸１１ａが一体に形成され、回転軸１１ａの軸上には、回転軸１１ａと中心の異なるカム１１ｂが配設されている。
【００１５】
上枠４には少なくとも鍋１６米と水が入っていない状態のとき、本体１の重心１２ａよりも前方に位置するところで、かつ鍋１６に最大炊飯量の米と水が入っている状態のとき、本体１の重心１２ｂの上方に、回転軸１１ａを軸支する軸受け部１３が一体で形成され、カム１１ｂに当接する板バネ１３ａが設けられ回動力規制手段を構成している。
【００１６】
この構成をとることにより、少なくとも本体１の鍋１６内に米と水が入っていないとき、ハンドル１１の把手部１１ｃを保持回動しハンドル１１で本体１を吊り下げたとき、上枠４の軸受け部１３は本体１の重心より前方に位置するため、本体１は後方に傾斜しようと回転軸１１ａを中心に回転する、この時ハンドル１１の回転軸１１ａに設けられたカム１１ｂと上枠４の軸受け部１３に設けられた板バネ１３ａが当接し、回動力規制手段によりハンドル１１の回動を規制することで本体１の後方への傾斜は抑制される。また、本体１の鍋内に最大炊飯量の米と水が投入されているとき、上枠４に設けられた軸受け部１３を、本体１の重心位置に設けることにより、本体１の重量が重くなったときには回動力規制手段による大きな付勢力をかけることなく本体１は傾きなく吊り下げることができる。
【００１７】
また、ハンドル１１を保持し回動する際、ハンドル１１の回転軸１１ａに設けられたカム１１ｂの位置と付勢力と、上枠４の軸受け部１３に設けられた板バネ１３ａの付勢力を変える事により、ハンドル１１の回動において回動力を任意に変えることができる。なお、板バネ１３ａは、その素材特性に弾性を有する素材であれば、金属製の物を使用しなくてもよい。
【００１８】
さらに、ハンドル１１の回転軸１１ａに設けられたカム１１ｂのカム構成は、ハンドル１１の把手部１１ｃ側に平面部１１ｄを設け、ハンドル１１の直立時に、前記平面部１１ｄに相対する部分に板バネ１３ａが配設されている、また、ハンドル１１のカム１１ｂには回転軸１１ａと異なる中心を持つカム面１１ｅが配設されている。
【００１９】
この構成をとることにより、本体を移動させる際ハンドル１１を持ち上げると、ハンドル１１は回転軸１１ａを中心に回転し、ハンドル１１が直立状態になったとき、ハンドル１１のカム１１ｂに配置された平面部１１ｄと、上枠４のハンドル１１を軸支する軸受け部１３に設けられた板バネ１３ａが合わさり、クリック感と共に付勢され、本体１は傾斜することなく、ハンドル１１で吊り下げることが出来る。
【００２０】
また、カム１１ｂは回転軸１１ａと異なる中心を持つカム面１１ｅを配設することにより、ハンドル１１が、直立状態より前方に回動したときハンドル１１の回動力を重くし、ハンドル１１が前方まで回動し難くすることにより、使用者が本体の蓋開操作を行う、フックボタン１４の操作時や、オペレート操作を行うスイッチパネル１５を操作するとき、手がハンドル１１に干渉することなく、炊飯操作を行うことができる。
【００２１】
なお、ハンドル１１の回転軸１１ａに設けられたカム１１ｂのカム構成の平面部１１ｄは、ハンドル１１の把手部１１ｃ側になくとも、ハンドル１１の直立時に、前記平面部１１ｄに相対する部分に板バネ１３ａが配設される構成となってもよい。
【産業上の利用可能性】
【００２２】
本発明に係わる炊飯器は、家庭用又は業務用の炊飯器で回動する吊り下げ式のハンドルを有するものに有用である。
【図面の簡単な説明】
【００２３】
【図１】本発明の実施の形態１の炊飯器の一部を切欠した側面図
【図２】本発明の実施の形態１の炊飯器の要部拡大断面図
【図３】本発明の実施の形態１の炊飯器の要部拡大断面図
【図４】従来の炊飯器の一部を切欠した側面図
【図５】従来の炊飯器の要部拡大断面図
【符号の説明】
【００２４】
１  本体
３  ボディ
４  上枠
５  保護枠
６  コイルベース
７  外蓋
８  ヒンジ部材
９  ピン
１０  蓋バネ
１１  ハンドル
１１ａ  回転軸
１１ｂ  カム
１１ｃ  把手部
１１ｄ  平面部
１１ｅ  カム面
１２ａ  重心（鍋に米と水が入っていない時）
１２ｂ  重心（鍋に最大炊飯量の米と水が入っている時）
１３  軸受け部
１３ａ  板バネ
１４  フックボタン
１５  スイッチパネル
【図１】
2010214033.tif 000003
【図２】
2010214033.tif 000004
【図３】
2010214033.tif 000005
【図４】
2010214033.tif 000006
【図５】
2010214033.tif 000007